(57)【要約】【課題】断面形状が異なる２つ以上の電線保護部材に連続して電線を容易に挿通できる電線挿通具およびその誘導治具を提供する。【解決手段】電線挿通具１１は、互いに平行に設けられた第１の挿通具本体１３に対して第２の挿通具本体１５が、第１の挿通具本体１３の中心軸周りを平行な状態で回動自在に連結されている。第１の挿通具本体１３の後端に設けられた扁平収容部１９と、第２の挿通具本体１５の後端に設けられた円形収容部３１とにそれぞれ電線１７の端部が挿入された状態で、電線挿通具１１は平型コルゲートチューブ４３又は丸型コルゲートチューブ４５に挿通される。【選択図】図１
2015046970.tif 000002
【特許請求の範囲】
【請求項１】
先端に挿入案内部を有する挿通具本体の後端に設けられた電線挿入部に少なくとも１本の電線の端部が挿入された状態で筒状の電線保護部材に挿通される電線挿通具であって、互いに平行に設けられた複数の前記挿通具本体における第１の挿通具本体に対して第２の挿通具本体が、前記第１の挿通具本体の中心軸周りを平行な状態で回動自在に連結されていることを特徴とする電線挿通具。
【請求項２】
請求項１に記載の電線挿通具であって、
前記第１の挿通具本体における前記電線挿入部には、２本の電線の端部が挿入され、前記第２の挿通具本体における前記電線挿入部には、１本の電線の端部が挿入されることを特徴とする電線挿通具。
【請求項３】
互いに組み合わされることにより請求項１または２に記載した電線挿通具を挿通可能な筒体を形成する本体部および蓋部を備え、前記電線挿通具を筒状の電線保護部材に挿入案内するための誘導治具であって、一端開口部から挿入された前記第１の挿通具本体を一直線上に他端開口部に向けて挿入案内する第１案内部と、一端開口部から挿入された前記第２の挿通具本体を前記第１の挿通具本体の中心軸周りに平行な状態で回動させながら他端開口部に向けて案内する第２案内部と、を有することを特徴とする誘導治具。
【請求項４】
請求項３に記載の誘導治具であって、
前記第２案内部が、前記第１の挿通具本体に対し横方向から添えられた状態の前記第２の挿通具本体を前記第１の挿通具本体に対し縦方向から添えられる状態に回動させることを特徴とする誘導治具。
【請求項５】
請求項３に記載の誘導治具であって、
前記第２案内部が、前記第１の挿通具本体に対し縦方向から添えられた状態の前記第２の挿通具本体を前記第１の挿通具本体に対し横方向から添えられる状態に回動させることを特徴とする誘導治具。
【発明の詳細な説明】
【技術分野】
【０００１】
本発明は、電線挿通具およびその誘導治具に関する。
【背景技術】
【０００２】
筒状のコルゲートチューブに電線または電線束を挿通させるためのコルゲートチューブ用電線挿通具が知られている（特許文献１参照）。
この電線挿通具は、スリットを有しない筒状のコルゲートチューブに電線を挿通させるために用いられる。電線挿通具は、電線の先端を後端に開口した挿入口から挿入して電線を収容する収容部と、収容部の先端部を先端にかけて縮幅させてなり、コルゲートチューブ内で収容部をガイドするガイド部とを備える。収容部は、電線の先端を挿入する挿入口が、後端に複数並べて開口されている。収容部の後端面の下部からは、収容部に挿入された電線を下側から支持する受部が、後方に延びている。
【０００３】
この電線挿通具によれば、電線挿通具の収容部に先端を挿入した電線を、コルゲートチューブ内に送り込むことで、電線の先端とコルゲートチューブの内面との接触を避け、コルゲートチューブの内面や電線を傷つけることなく、電線をコルゲートチューブ内に挿通させることができる。このため、コルゲートチューブにスリットを設けることなく電線や電線束をコルゲートチューブに容易に挿通することができる。
【先行技術文献】
【特許文献】
【０００４】
【特許文献１】特開２０１０−１０４０８２号公報
【発明の概要】
【発明が解決しようとする課題】
【０００５】
ところで、電線または電線束は、断面形状の異なる２つ以上のコルゲートチューブにそれぞれ挿通したい場合がある。例えば、コルゲートチューブは、一般的に円形断面を有する丸型コルゲートチューブであるが、車体取付部に対する高さ制約等がある部分の配索では、扁平断面を有する平型コルゲートチューブを用いることがある。この場合、電線挿通具は、平型コルゲートチューブには平型用が用いられ、丸型コルゲートチューブには丸型用が用いられる。
しかしながら、従来の電線挿通具は、コルゲートチューブの断面形状に合ったものを使用しているため、軸方向に並べた断面形状の異なる複数のコルゲートチューブには、連続して挿通させることが不可能となる。即ち、平型用電線挿通具は、平型コルゲートチューブには挿通可能であるが、内径が平型用電線挿通具の横幅よりも小さい丸型コルゲートチューブには挿通不可となる。逆に、丸型用電線挿通具は、開口高さが丸型用電線挿通具の外径よりも低い平型コルゲートチューブには挿通不可であるが、丸型コルゲートチューブには挿通可能となる。このため、コルゲートチューブの断面形状にあわせて、手作業にて平型用電線挿通具と丸型用電線挿通具を付け替える煩雑な作業が必要となる。
【０００６】
本発明は上記状況に鑑みてなされたもので、その目的は、断面形状が異なる２つ以上の電線保護部材に連続して電線を容易に挿通できる電線挿通具およびその誘導治具を提供することにある。
【課題を解決するための手段】
【０００７】
本発明に係る上記目的は、下記構成により達成される。
（１）  先端に挿入案内部を有する挿通具本体の後端に設けられた電線挿入部に少なくとも１本の電線の端部が挿入された状態で筒状の電線保護部材に挿通される電線挿通具であって、互いに平行に設けられた複数の前記挿通具本体における第１の挿通具本体に対して第２の挿通具本体が、前記第１の挿通具本体の中心軸周りを平行な状態で回動自在に連結されていることを特徴とする電線挿通具。
【０００８】
上記（１）の構成の電線挿通具によれば、第２の挿通具本体が、第１の挿通具本体の軸線直交断面における輪郭に沿う方向に平行移動することができる。そこで、第１の挿通具本体の軸線直交断面が扁平（例えば長円）であれば、第２の挿通具本体は、この扁平形状の輪郭に沿って平行移動することができる。このように、互いに中心軸周りを平行な状態で回動自在に連結された複数体からなる挿通具本体を可動させることで、電線保護部材の断面形状に合わせた形状に、電線挿通具の軸線直交断面形状が変形可能となる。
【０００９】
（２）  上記（１）の構成の電線挿通具であって、前記第１の挿通具本体における前記電線挿入部には、２本の電線の端部が挿入され、前記第２の挿通具本体における前記電線挿入部には、１本の電線の端部が挿入されることを特徴とする電線挿通具。
【００１０】
上記（２）の構成の電線挿通具によれば、３本の電線を横に並べた状態では、第１の挿通具本体に挿入された２本の電線に対し、第２の挿通具本体に挿入された１本の電線が横に添えられる。第２の挿通具本体が可動して電線が縦に添えられる状態では、第１の挿通具本体の横並びの２本の電線に対し、第２の挿通具本体の１本の電線が、回転角度で約９０度回転しつつ、回転半径内側へ移動されて、縦方向から重ねられて並ぶ。即ち、３本の電線は、近接して放射方向に配置された電線束となる。
これにより、３本の電線が横に並んで挿通される長円形の断面を有する電線保護部材から、３本の電線が近接して放射方向に配置された電線束で挿通される円形の断面を有する電線保護部材への電線の連続した挿通が可能となる。
【００１１】
（３）  互いに組み合わされることにより上記（１）または（２）に記載した電線挿通具を挿通可能な筒体を形成する本体部および蓋部を備え、前記電線挿通具を筒状の電線保護部材に挿入案内するための誘導治具であって、一端開口部から挿入された前記第１の挿通具本体を一直線上に他端開口部に向けて挿入案内する第１案内部と、一端開口部から挿入された前記第２の挿通具本体を前記第１の挿通具本体の中心軸周りに平行な状態で回動させながら他端開口部に向けて案内する第２案内部と、を有することを特徴とする誘導治具。
【００１２】
上記（３）の構成の誘導治具によれば、互いに平行に設けられた複数の挿通具本体を備えた電線挿通具が本体部の一端開口部から挿入されると、第１の挿通具本体が第１案内部に摺接し、第１案内部に案内されて他端開口部に向けて一直線上に移動する。一方、第１の挿通具本体に回動自在に連結される第２の挿通具本体は、第２案内部に摺接することで、第１の挿通具本体の中心軸周りに平行な状態で回動される。これにより、複数の挿通具本体は、挿通する電線保護部材の開口形状に合わせて、複数の電線を横に添えた状態から縦に添える状態、或いはその逆に、縦に添えた状態から横に添える状態に自動的に回動される。
【００１３】
（４）  上記（３）の構成の誘導治具であって、前記第２案内部が、前記第１の挿通具本体に対し横方向から添えられた状態の前記第２の挿通具本体を前記第１の挿通具本体に対し縦方向から添えられる状態に回動させることを特徴とする誘導治具。
【００１４】
上記（４）の構成の誘導治具によれば、横並びとなった第１の挿通具本体と第２の挿通具本体のうち、第２の挿通具本体が、第１の挿通具本体に対して縦方向から重ねられて並ぶ。
【００１５】
（５）  上記（３）の構成の誘導治具であって、前記第２案内部が、前記第１の挿通具本体に対し縦方向から添えられた状態の前記第２の挿通具本体を前記第１の挿通具本体に対し横方向から添えられる状態に回動させることを特徴とする誘導治具。
【００１６】
上記（５）の構成の誘導治具によれば、第１の挿通具本体に対して縦方向から重ねられて並んでいる第２の挿通具本体が、第１の挿通具本体に対して横に添えられて、第１の挿通具本体と第２の挿通具本体とが扁平な横並びとなる。
【発明の効果】
【００１７】
本発明に係る電線挿通具によれば、断面形状が異なる２つ以上の電線保護部材に電線をそれぞれ容易に挿通できる。
【００１８】
本発明に係る誘導治具によれば、電線挿通具の断面形状を電線保護部材の断面形状に合わせて自動的に変形させることができ、手作業で電線保護部材を挿通させる工数を削減することが可能となる。
【００１９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２０】
【図１】本発明の一実施形態に係る電線挿通具を電線と共に表した全体斜視図である。
【図２】図１に示した電線挿通具の水平断面図である。
【図３】図１に示した電線挿通具の第２の挿通具本体が移動されて縦方向から重ねられた状態を示す斜視図である。
【図４】（ａ）は縦方向から添えられた第２の挿通具本体を横方向から添えられる状態に回動させる誘導治具における蓋部を省略して第２の挿通具本体の変位を表した平面図、（ｂ）は（ａ）におけるＸ−Ｘ断面図である。
【図５】（ａ）は図４（ａ）における誘導治具の縦断面図、（ｂ）は（ａ）に示した誘導治具のＡ−Ａ線、Ｂ−Ｂ線、Ｃ−Ｃ線、Ｄ−Ｄ線の各位置における横断面図である。
【図６】（ａ）は横方向から添えられた第２の挿通具本体を縦方向から添えられる状態に回動させる誘導治具における蓋部を省略して第２の挿通具本体の変位を表した平面図、（ｂ）は（ａ）におけるＹ−Ｙ断面図である。
【図７】（ａ）は図６（ａ）における誘導治具の側断面図、（ｂ）は（ａ）に示した誘導治具のＥ−Ｅ線、Ｆ−Ｆ線、Ｇ−Ｇ線、Ｈ−Ｈ線の各位置における横断面図である。
【図８】（ａ）は一対の第２の挿通具本体が横方向から添えられた状態の変形例に係る電線挿通具の軸線直交断面図、（ｂ）は一対の第２の挿通具本体が縦方向から添えられた状態の変形例に係る電線挿通具の軸線直交断面図である。
【図９】電線挿通具が異なる断面形状の電線保護部材に連続して挿通される過程を表した動作説明図である。
【発明を実施するための形態】
【００２１】
以下、本発明に係る実施形態を図面を参照して説明する。
図１に示すように、本発明の一実施形態に係る電線挿通具１１は、ステンレス等の金属材料から形成される複数の挿通具本体を有する。なお、挿通具本体は、樹脂製であってもよい。本実施形態において、挿通具本体は、第１の挿通具本体１３と第２の挿通具本体１５の２部品が可動自在に連結されている。
本実施形態に係る電線保護部材は、例えばコルゲートチューブ、可撓性チューブ等とすることができる。
【００２２】
第１の挿通具本体１３は、電線１７の外径よりも若干厚い略矩形板状に形成され、長手方向後端に電線１７の端部を収容する電線挿入部である扁平収容部１９と、長手方向先端に電線保護部材の内部で扁平収容部１９をガイドする挿入案内部であるガイド部２１と、を備える。扁平収容部１９は、長円形の断面形状の外形を有している。本実施形態において、第１の挿通具本体１３における扁平収容部１９には、２本の電線１７の端部が挿入される。
【００２３】
ガイド部２１は、扁平収容部１９の先端部を先端にかけて縮幅させた外観形状を有している。本実施形態では、ガイド部２１の上面２３および下面２５が、また、左面２７および右面２９が、先端にかけてそれぞれ互いが近づく向きに傾斜した平坦面となっており、略矩形の断面形状を有して前方に延びている。
【００２４】
第２の挿通具本体１５は、電線１７の外径よりも若干大径の円柱状に形成され、長手方向後端に電線１７の端部を収容する電線挿入部である円形収容部３１と、長手方向先端に電線保護部材の内部で円形収容部３１をガイドする挿入案内部であるガイド部３３と、を備える。円形収容部３１は、円形の断面形状の外形を有している。本実施形態において、第２の挿通具本体１５における円形収容部３１には、１本の電線１７の端部が挿入される。
【００２５】
ガイド部３３は、円形収容部３１の先端部を先端にかけて縮径させた外観形状を有している。本実施形態では、ガイド部３３が円錐形状となっており、円形の断面形状を有して前方に延びている。
【００２６】
そして、これら第１の挿通具本体１３と第２の挿通具本体１５とは、互いに平行に設けられ、第１の挿通具本体１３に対して第２の挿通具本体１５が、第１の挿通具本体１３の中心軸周りを平行な状態で回動自在に連結されている。
【００２７】
図１及び図２に具体的に示すように、第１の挿通具本体１３には軸線直交方向に、一対の平行な係合溝３５が形成される。係合溝３５は、第１の挿通具本体１３の本体上面３７から一方の本体側面３９に渡って連続してＬ字状に形成されている。一方、第２の挿通具本体１５には軸線直交方向に、一対の平行な連結杆４１が突設出されている。連結杆４１の基端は、第２の挿通具本体１５に対してネジ固定される。連結杆４１のそれぞれの先端は、一対の係合溝３５に対応して進退自在に係合されている。即ち、係合溝３５を貫通した連結杆４１の先端に固定された係止部材４２は、係合溝３５の溝幅よりも大きな外形を有しており、連結杆４１は係合溝３５に対して進退自在となって抜脱が規制される。
【００２８】
連結杆４１は、係合溝３５に沿って移動が自在となる。連結杆４１を介して第１の挿通具本体１３に連結された第２の挿通具本体１５は、第１の挿通具本体１３の本体上面３７から一方の本体側面３９に沿って移動が可能となる。即ち、第１の挿通具本体１３の中心軸周りを平行な状態で回動自在に連結された第２の挿通具本体１５は、第１の挿通具本体外周の略半周分の移動が可能となっている。
【００２９】
第２の挿通具本体１５は、このような移動によって、第１の挿通具本体１３に対し横方向から添えられた状態から、第１の挿通具本体１３に対して縦方向から重ねられて並ぶ位置へ配置の変更が可能となる。また、第１の挿通具本体１３に対し縦方向から添えられた状態から、第１の挿通具本体１３に対して横方向から重ねられて並ぶ位置へ配置の変更が可能となる。なお、本明細書中における横とは、軸線直交断面に仮想した直交するＸＹ軸のＸ軸に沿う方向、縦とは、Ｙ軸に沿う方向を言う。また、中心軸は、ＸＹ軸に直交するＺ方向となる。
【００３０】
本実施形態に係る電線挿通具１１は、第２の挿通具本体１５を可動させることで、コルゲートチューブの断面形状に合わせた形状に、挿通具本体の軸線直交断面形状が変形可能となる。即ち、電線挿通具１１は、第２の挿通具本体１５が横並びに配置された断面形状で、電線保護部材である平型コルゲートチューブ４３（図１参照）に挿入が可能となる。また、電線挿通具１１は、第２の挿通具本体１５が縦並びに配置された断面形状で、電線保護部材である丸型コルゲートチューブ４５（図３参照）に挿入が可能となる。
【００３１】
扁平収容部１９及び円形収容部３１に電線１７の端部が挿入された電線挿通具１１は、ガイド部２１及びガイド部３３を備えた先端側から平型コルゲートチューブ４３又は丸型コルゲートチューブ４５に挿入されると、平型コルゲートチューブ４３又は丸型コルゲートチューブ４５の内部をガイド部２１及びガイド部３３に案内されて移動する。
【００３２】
扁平収容部１９及び円形収容部３１に端部を挿入した電線１７を、平型コルゲートチューブ４３又は丸型コルゲートチューブ４５に送り込むことで、電線１７の先端と平型コルゲートチューブ４３又は丸型コルゲートチューブ４５の内面との接触を避け、平型コルゲートチューブ４３又は丸型コルゲートチューブ４５の内面や電線１７を傷つけることなく、電線１７を平型コルゲートチューブ４３又は丸型コルゲートチューブ４５に挿通させることができる。
【００３３】
次に、本発明の一実施形態に係る誘導治具を説明する。
図４〜図７に示す本実施形態の誘導治具は、互いに組み合わされることにより電線挿通具１１を挿通可能な筒体を形成する本体部４７および蓋部４９を備える。誘導治具は、電線挿通具１１を平型コルゲートチューブ４３又は丸型コルゲートチューブ４５に挿入案内するためのものとなる。
【００３４】
本実施形態に係る誘導治具は、一端開口部５１から挿入された第１の挿通具本体１３を一直線上に他端開口部５３に向けて挿入案内する第１案内部と、一端開口部５１から挿入された第２の挿通具本体１５を第１の挿通具本体１３の中心軸周りに平行な状態で回動させながら他端開口部５３に向けて案内する第２案内部と、を有する。
【００３５】
本実施形態に係る誘導治具は、図４及び図５に示す縦横誘導治具５５と、図６及び図７に示す横縦誘導治具５７との二種が必要となる。縦横誘導治具５５は、縦方向から添えられた第２の挿通具本体１５を、横方向から添えられる状態に回動させる誘導治具である。横縦誘導治具５７は、横方向から添えられた第２の挿通具本体１５を、縦方向から添えられる状態に回動させる誘導治具である。
【００３６】
本実施形態の縦横誘導治具５５は、一端開口部５１が、図４（ｂ）に示すように、第２の挿通具本体１５が縦方向から添えられた電線挿通具１１を挿入可能としている。縦横誘導治具５５の第１案内部である縦横第１案内部５９は、図５（ｂ）のＡ−Ａ断面に示すように、最初に第１の挿通具本体１３の側方に当接する。縦横第１案内部５９は、電線挿通具１１の挿通過程において、Ｂ−Ｂ断面〜Ｄ−Ｄ断面に示すように、第１の挿通具本体１３を片側に寄せた後、第２の挿通具本体１５の水平空間６１を形成する。
【００３７】
縦横誘導治具５５の第２案内部である縦横第２案内部６３は、図５（ｂ）のＡ−Ａ断面に示すように、最初に第２の挿通具本体１５に当接していない。縦横第２案内部６３は、電線挿通具１１の挿通過程において、Ｂ−Ｂ断面〜Ｄ−Ｄ断面に示すように、第２の挿通具本体１５を片側に寄せた後、第２の挿通具本体１５を水平空間６１に案内する。即ち、縦横第２案内部６３は、第１の挿通具本体１３に対し縦方向から添えられた状態の第２の挿通具本体１５を、第１の挿通具本体１３に対し横方向から添えられる状態に回動させる。
【００３８】
一方、横縦誘導治具５７は、一端開口部５１が、図６（ｂ）に示すように、第２の挿通具本体１５が横方向から添えられた電線挿通具１１を挿入可能としている。横縦誘導治具５７の第１案内部である横縦第１案内部６５は、図７（ｂ）のＥ−Ｅ断面に示すように、最初に第１の挿通具本体１３の上方に当接する。横縦第１案内部６５は、電線挿通具１１の挿通過程において、Ｆ−Ｆ断面〜Ｈ−Ｈ断面に示すように、第１の挿通具本体１３を一定位置に保持しながら片側に寄って、第２の挿通具本体１５の垂直空間６７を形成する。
【００３９】
横縦誘導治具５７の第２案内部である横縦第２案内部６９は、図７（ｂ）のＥ−Ｅ断面に示すように、最初に第２の挿通具本体１５の下方に当接している。横縦第２案内部６９は、電線挿通具１１の挿通過程において、Ｆ−Ｆ断面〜Ｈ−Ｈ断面に示すように、第２の挿通具本体１５を上昇させた後、第２の挿通具本体１５を垂直空間６７に案内する。即ち、横縦第２案内部６９は、第１の挿通具本体１３に対し横方向から添えられた状態の第２の挿通具本体１５を、第１の挿通具本体１３に対し縦方向から添えられる状態に回動させる。
【００４０】
次に、本実施形態に係る電線挿通具１１の変形例を説明する。
図８に示すように、この変形例に係る電線挿通具７１は、２本の電線１７を挿入する第１の挿通具本体１３に対し、２つの第２の挿通具本体１５が、第１の挿通具本体１３の中心軸周りを平行な状態で回動自在に連結されている。
【００４１】
２つの第２の挿通具本体１５は、同一の回転方向へ移動された後に、第１の挿通具本体１３を挟む位置に配置される。即ち、図８（ａ）に示す横並び状態では、第１の挿通具本体１３が、横方向から一対の第２の挿通具本体１５によって挟まれる。図８（ｂ）に示す縦並び状態では、第１の挿通具本体１３が、縦方向から一対の第２の挿通具本体１５によって挟まれる。
【００４２】
この変形例に係る電線挿通具７１によれば、４本の電線１７を、断面形状の異なる丸型コルゲートチューブ４５又は平型コルゲートチューブ４３に連続して挿通できる。
【００４３】
次に、電線挿通具１１、並びに誘導治具である縦横誘導治具５５及び横縦誘導治具５７を用いた電線挿通方法の一例を説明する。
図９は電線挿通具１１が異なる断面形状の電線保護部材に挿通される過程を表した動作説明図である。
この電線挿通方法では、３本の電線１７が、丸型コルゲートチューブ４５、平型コルゲートチューブ４３、丸型コルゲートチューブ４５の順で挿通される。最初の丸型コルゲートチューブ４５と平型コルゲートチューブ４３との間には、縦横誘導治具５５が配置される。平型コルゲートチューブ４３と最後の丸型コルゲートチューブ４５との間には、横縦誘導治具５７が配置されている。
【００４４】
先ず、電線挿通具１１の第１の挿通具本体１３には２本の電線１７が挿通され、第２の挿通具本体１５には１本の電線１７が挿通される（図９（ａ）参照）。
そして、３本の電線１７が挿入された電線挿通具１１は、丸型コルゲートチューブ４５へ挿通される（図９（ｂ）参照）。この際、電線挿通具１１は、図３に示したように第１の挿通具本体１３に対し第２の挿通具本体１５が縦方向から添えられている。これにより、電線挿通具１１は、丸型コルゲートチューブ４５へ挿通可能となっている。電線１７が押し込まれることで、丸型コルゲートチューブ４５に挿通された電線挿通具１１は、丸型コルゲートチューブ４５から出されると、縦横誘導治具５５に進入する（図９（ｃ）参照）。
【００４５】
縦横誘導治具５５に進入した電線挿通具１１は、第１の挿通具本体１３に対し縦方向から添えられた状態の第２の挿通具本体１５が、図１に示したように第１の挿通具本体１３に対し横方向から添えられる状態に回動させる。これにより、電線挿通具１１は、断面形状が異なる平型コルゲートチューブ４３へ挿通が可能となり、連続して平型コルゲートチューブ４３へ押し込まれる（図９（ｄ）参照）。
【００４６】
電線１７が押し込まれることで、平型コルゲートチューブ４３に挿通された電線挿通具１１は、平型コルゲートチューブ４３から出されると、横縦誘導治具５７に進入する（図９（ｅ）参照）。横縦誘導治具５７に進入した電線挿通具１１は、第１の挿通具本体１３に対し横方向から添えられた状態の第２の挿通具本体１５が、再び第１の挿通具本体１３に対し縦方向から添えられる状態に回動される。電線挿通具１１は、丸型コルゲートチューブ４５へ挿通可能となり、丸型コルゲートチューブ４５へ押し込まれる（図９（ｆ）参照）。
そして、電線１７が更に押し込まれることで、丸型コルゲートチューブ４５の終端側から電線挿通具１１が出る。
【００４７】
丸型コルゲートチューブ４５の終端側から電線挿通具１１と共に引き出された３本の電線１７は、縦横誘導治具５５及び横縦誘導治具５７の蓋部４９がそれぞれ開かれることで、縦横誘導治具５５及び横縦誘導治具５７から外される。その結果、３本の電線１７は、丸型コルゲートチューブ４５、平型コルゲートチューブ４３、丸型コルゲートチューブ４５のみに通された状態となる。
【００４８】
これにより、断面形状の異なる丸型コルゲートチューブ４５、平型コルゲートチューブ４３、丸型コルゲートチューブ４５に対し、電線挿通具１１が順次に自動的に変形することで、３本の電線１７の連続した挿通作業が容易に完了する。
【００４９】
なお、上述の電線挿通方法では、最初の丸型コルゲートチューブ４５と平型コルゲートチューブ４３との間に縦横誘導治具５５を配置し、平型コルゲートチューブ４３と最後の丸型コルゲートチューブ４５との間に横縦誘導治具５７を配置した。しかし、コルゲートチューブには、これら縦横誘導治具５５及び横縦誘導治具５７と同様の構造を付与することができる。即ち、図示は省略するが、丸型コルゲートチューブ４５と平型コルゲートチューブ４３を丸平型コルゲートチューブとして一体に成形し、接続部分の内面に、縦横誘導治具５５における縦横第１案内部５９及び縦横第２案内部６３に相当する案内部を形成することができる。また、平型コルゲートチューブ４３と丸型コルゲートチューブ４５を平丸型コルゲートチューブとして一体に成形し、接続部分の内面に、横縦誘導治具５７における横縦第１案内部６５及び横縦第２案内部６９に相当する案内部を形成することができる。
【００５０】
このような丸平型コルゲートチューブや平丸型コルゲートチューブによれば、縦横誘導治具５５や横縦誘導治具５７を使用せずに、電線挿通具１１のみを用いて電線１７を連続して異なる断面形状の電線保護部材に挿通することができる。
【００５１】
次に、上記構成を有する電線挿通具１１の作用を説明する。
本実施形態に係る電線挿通具１１では、挿通具本体が、第１の挿通具本体１３と第２の挿通具本体１５とからなる。第２の挿通具本体１５は、第１の挿通具本体１３に対して、第１の挿通具本体１３の中心軸周りを平行な状態で、回動自在に第１の挿通具本体１３に連結されている。
【００５２】
即ち、第２の挿通具本体１５が、第１の挿通具本体１３の軸線直交断面における輪郭に沿う方向に平行移動することができる。そこで、第１の挿通具本体１３の軸線直交断面が扁平（例えば長円）であれば、第２の挿通具本体１５は、この扁平形状の輪郭に沿って平行移動することができる。
【００５３】
このように、互いに中心軸周りを平行な状態で回動自在に連結された第１の挿通具本体１３と第２の挿通具本体１５を可動させることで、電線保護部材の断面形状に合わせた形状に、電線挿通具１１の軸線直交断面形状が変形可能となる。
従って、中心軸が互いに平行に設けられた第１の挿通具本体１３と第２の挿通具本体１５とは、挿通する電線保護部材の開口形状に合わせて、電線１７を横に添えた状態から縦に添える状態、或いはその逆に、縦に添えた状態から横に添える状態に回動させて保持することができる。
【００５４】
また、本実施形態の電線挿通具１１では、３本の電線１７を横に並べた状態では、第１の挿通具本体１３に挿入された２本の電線１７に対し、第２の挿通具本体１５に挿入された１本の電線１７が横に添えられる。
【００５５】
第２の挿通具本体１５が可動して電線１７が縦に添えられる状態では、第１の挿通具本体１３の横並びの２本の電線１７に対し、第２の挿通具本体１５の１本の電線１７が、回転角度で約９０度回転しつつ、回転半径内側へ移動されて、縦方向から重ねられて並ぶ。即ち、３本の電線１７は、近接して放射方向に配置された電線束となる。
【００５６】
これにより、３本の電線１７が横に並んで挿通される長円形の断面を有する平型コルゲートチューブ４３から、３本の電線１７が近接して放射方向に配置された電線束で挿通される円形の断面を有する丸型コルゲートチューブ４５への電線１７の連続した挿通が可能となる。
【００５７】
次に、上記構成を有する誘導治具（縦横誘導治具５５及び横縦誘導治具５７）の作用を説明する。
本実施形態に係る誘導治具では、電線挿通具１１が本体部４７の一端開口部５１から挿入されると、第１の挿通具本体１３が第１案内部に摺接し、第１案内部に案内されて他端開口部５３に向けて一直線上に移動する。一方、第１の挿通具本体１３に回動自在に連結される第２の挿通具本体１５は、第２案内部に摺接する。第２案内部に摺接することで、第１の挿通具本体１３の中心軸周りに平行な状態で回動される。これにより、第１の挿通具本体１３と第２の挿通具本体１５は、挿通する電線保護部材の開口形状に合わせて、３本の電線１７を横に添えた状態から縦に添える状態、或いはその逆に、縦に添えた状態から横に添える状態に自動的に回動される。
【００５８】
また、図６及び図７に示したように、第２案内部である横縦第２案内部６９が、第１の挿通具本体１３に対し横方向から添えられた状態の第２の挿通具本体１５を第１の挿通具本体１３に対し縦方向から添えられる状態に回動させる横縦誘導治具５７では、横並びとなった第１の挿通具本体１３と第２の挿通具本体１５のうち、第２の挿通具本体１５が、第１の挿通具本体１３に対して縦方向から重ねられて並ぶ。
【００５９】
また、図４及び図５に示したように、第２案内部である縦横第２案内部６３が、第１の挿通具本体１３に対し縦方向から添えられた状態の第２の挿通具本体１５を第１の挿通具本体１３に対し横方向から添えられる状態に回動させる縦横誘導治具５５では、第１の挿通具本体１３に対して縦方向から重ねられて並んでいる第２の挿通具本体１５が、第１の挿通具本体１３に対して横に添えられて、第１の挿通具本体１３と第２の挿通具本体１５とが扁平な横並びとなる。
【００６０】
ここで、上述した本発明に係る電線挿通具およびその誘導治具の実施形態の特徴をそれぞれ以下に簡潔に纏めて列記する。
［１］  先端に挿入案内部（ガイド部）２１，３３を有する挿通具本体（第１の挿通具本体、第２の挿通具本体）１３，１５の後端に設けられた電線挿入部（扁平収容部、円形収容部）１９，３１に少なくとも１本の電線１７の端部が挿入された状態で筒状の電線保護部材（平型コルゲートチューブ、丸型コルゲートチューブ）４３，４５に挿通される電線挿通具１１であって、互いに平行に設けられた複数の前記挿通具本体（第１の挿通具本体、第２の挿通具本体）１３，１５における第１の挿通具本体１３に対して第２の挿通具本体１５が、前記第１の挿通具本体１３の中心軸周りを平行な状態で回動自在に連結されていることを特徴とする電線挿通具１１。
［２］  上記［１］の構成の電線挿通具１１であって、前記第１の挿通具本体１３における前記電線挿入部（扁平収容部）１９には、２本の電線１７の端部が挿入され、前記第２の挿通具本体１５における前記電線挿入部（円形収容部）３１には、１本の電線１７の端部が挿入されることを特徴とする電線挿通具１１。
［３］  互いに組み合わされることにより上記［１］または［２］に記載した電線挿通具１１を挿通可能な筒体を形成する本体部４７および蓋部４９を備え、前記電線挿通具１１を筒状の電線保護部材（平型コルゲートチューブ、丸型コルゲートチューブ）４３，４５に挿入案内するための誘導治具（縦横誘導治具、横縦誘導治具）５５，５７であって、一端開口部５１から挿入された前記第１の挿通具本体１３を一直線上に他端開口部５３に向けて挿入案内する第１案内部（縦横第１案内部、横縦第１案内部）５９，６５と、一端開口部５１から挿入された前記第２の挿通具本体１５を前記第１の挿通具本体１３の中心軸周りに平行な状態で回動させながら他端開口部５３に向けて案内する第２案内部（縦横第２案内部、横縦第２案内部）６３，６９と、を有することを特徴とする誘導治具（縦横誘導治具、横縦誘導治具）５５，５７。
［４］  上記［３］の構成の誘導治具（横縦誘導治具）５７であって、前記第２案内部（横縦第２案内部）６９が、前記第１の挿通具本体１３に対し横方向から添えられた状態の前記第２の挿通具本体１５を前記第１の挿通具本体１３に対し縦方向から添えられる状態に回動させることを特徴とする誘導治具（横縦誘導治具）５７。
［５］  上記［３］の構成の誘導治具（縦横誘導治具）５５であって、前記第２案内部（縦横第２案内部）６３が、前記第１の挿通具本体１３に対し縦方向から添えられた状態の前記第２の挿通具本体１５を前記第１の挿通具本体１３に対し横方向から添えられる状態に回動させることを特徴とする誘導治具（縦横誘導治具）５５。
【００６１】
従って、本実施形態に係る電線挿通具１１によれば、断面形状が異なる２つ以上の丸型コルゲートチューブ４５及び平型コルゲートチューブ４３に電線１７をそれぞれ容易に挿通できる。
【００６２】
本実施形態に係る誘導治具（縦横誘導治具５５及び横縦誘導治具５７）によれば、電線挿通具１１の断面形状を丸型コルゲートチューブ４５や平型コルゲートチューブ４３の断面形状に合わせて自動的に変形させることができ、手作業で丸型コルゲートチューブ４５や平型コルゲートチューブ４３を挿通させる工数を削減することが可能となる。
【符号の説明】
【００６３】
１１…電線挿通具
１３…第１の挿通具本体（挿通具本体）
１５…第２の挿通具本体（挿通具本体）
１７…電線
１９…扁平収容部（電線挿入部）
２１…ガイド部（挿入案内部）
３１…円形収容部（電線挿入部）
３３…ガイド部（挿入案内部）
４３…平型コルゲートチューブ（電線保護部材）
４５…丸型コルゲートチューブ（電線保護部材）
４７…本体部
４９…蓋部
５１…一端開口部
５３…他端開口部
５５…縦横誘導治具（誘導治具）
５７…横縦誘導治具（誘導治具）
５９…縦横第１案内部（第１案内部）
６３…縦横第２案内部（第２案内部）
６５…横縦第１案内部（第１案内部）
６９…横縦第２案内部（第２案内部）
【図１】
2015046970.tif 000003
【図２】
2015046970.tif 000004
【図３】
2015046970.tif 000005
【図４】
2015046970.tif 000006
【図５】
2015046970.tif 000007
【図６】
2015046970.tif 000008
【図７】
2015046970.tif 000009
【図８】
2015046970.tif 000010
【図９】
2015046970.tif 000011